(57)【要約】光学レンズ用補助ローレットリングは、環状部と環状部の外側に放射状に配置された歯により構成される。補助ローレットリングの内径と形状は、光学レンズの調整用リングの外径と形状に一致する。補助ローレットリングは、光学レンズの調整用リングと取り外し可能に連結される。光学レンズ用補助ローレットリングがレンズ正面に対して及び光学レンズ前端部を越えて延在できるため、画像に対する光学レンズの迷光の干渉は遮断される。デジタルスケール表示は、光学レンズ用補助ローレットリングの外側に刻印または印字され、スケールの位置及び表示の値は、光学レンズの焦点距離、開口及び集束範囲の情報に対応する。光学レンズ用補助ローレットリングの広がった外径を含む前端部は、キャップと取り外し可能に連結され、キャップの形状及びサイズは、補助ローレットリングの前端部の形状及びサイズに一致する。【選択図】図３
2014513321.tif 000002
【特許請求の範囲】
【請求項１】
環状部を有し、前記環状部の外径に放射状に配置されたリング歯を有する補助ローレットリングであって、
前記リング歯は、限定されないがピッチが０．８であり、前記補助ローレットリングが前記光学調整用リングの外側に取り外し可能に連結されるように、前記補助ローレットリングの外径及び形状が光学調整用リングの外径及び形状に一致する寸法を有する、
ことを特徴とするカメラ装置。
【請求項２】
光学レンズ用の前記補助ローレットリングが、画像に対する前記光学レンズの迷光の干渉を遮断するよう、前記光学レンズの前端より大きくなるとともに、前記光学レンズ前面のほうに延在することを特徴とする、請求項１に記載のカメラ装置。
【請求項３】
前記光学レンズ用の前記補助ローレットリングの外径及び内径が、画像に対する前記光学レンズの迷光の干渉を遮断するよう、前記光学レンズの前端より大きくするために、前記光学レンズの前端に対して段階的に広がることを特徴とする、請求項２に記載のカメラ装置。
【請求項４】
さらに前記補助ローレットリングと光学レンズ用調整リングの接続部に配置されたねじ穴を少なくとも１つ有し、前記ねじ穴を貫通する少なくとも１つのねじを備え、前記ねじ穴は光学レンズ用の光学調整用リングに対して垂直であることを特徴とする、請求項１に記載のカメラ装置。
【請求項５】
さらに、可撓性材料が用いられ、前記補助ローレットリングと前記光学レンズの光学調整用リングとの間に配置される可撓リングを備えることを特徴とする、請求項１に記載のカメラ装置。
【請求項６】
さらに、前記光学レンズ用の前記補助ローレットリングの外側に刻印または印字されたデジタルスケール表示を含み、前記デジタルスケール表示のスケールの位置及び表示の値は前記光学レンズの焦点距離、開口及び集束範囲の情報に対応することを特徴とする、請求項１に記載のカメラ装置。
【請求項７】
さらに、前記光学レンズの正面及び広がった端部に取り外し可能に連結されたキャップを備え、前記キャップの直径及び形状は、前記光学レンズの正面及び広がった端部の直径及び形状に一致することを特徴とする、請求項３に記載のカメラ装置。
【請求項８】
前記補助ローレットリングは、光学調整用リングの異なる直径及び機能に合わせて前記補助ローレットリングの直径を変更するために調整できるように、可撓ラックと前記可撓ラックを連結するよう適合された接続部品を備えることを特徴とする、請求項１に記載のカメラ装置。
【請求項９】
前記補助ローレットリングは、前記補助ローレットリングから一体的及び前記光学レンズの表面に対して垂直に延在された２つの突き出た端部を有する開口部を備え、前記２つの突き出た端部の相対位置は、前記補助ローレットリングの直径を変更するために調整可能であることを特徴とする、請求項１に記載のカメラ装置。
【請求項１０】
環状部である補助ローレットリングを備え、前記補助ローレットリングの外径に放射状に配置されたリング歯を有し、
前記リング歯は、限定されないがピッチが０．８であり、前記補助ローレットリングが前記光学調整用リングの外側に連結するために、後方に狭められるように突出し延在され、前記補助ローレットリングの外径及び形状が光学調整用リングの外径及び形状に一致することを特徴とするカメラ装置。
【発明の詳細な説明】
【技術分野】
【０００１】
著作権の表示
本特許資料の開示部分は著作権により保護されたデータを含む。著作権者は、米国特許商標庁にある特許の包袋または記録であり、特許開示の複製であれば異論はないが、それ以外の場合いかなる著作権も保有する。
【０００２】
本発明は、補助ローレットリング、詳細には異なる種類の光学用調整リングを組み入れ、適合させた光学レンズ用補助ローレットリングに関する。
【背景技術】
【０００３】
近年、従来型の光学カメラはローレットリングを備えておらず、このため、ファイルレンズ（ｆｉｌｅ  ｌｅｎｓ）のフォローフォーカス及びコンバータである光学調整用の補助装置を組み入れることができない。従って、従来型の光学カメラは効率的及び正確に従来型の光学カメラの光学レンズを調整するためのマニュアルフォーカス及びオートフォーカスを利用するための性能及び機器を有する。具体的には、デジタル式の従来型光学カメラが撮影に利用される際に、オートフォーカスによる像ブレ及び合焦遅れ及びノイズ発生は、画像品質に大きく影響するため、デジタル式の従来型光学カメラで一般的な問題となっている。
【発明の概要】
【発明が解決しようとする課題】
【０００４】
本発明の主な目的は、取り外し可能であり、光学調整用リングの外側から連結され、オートフォーカスによる像ブレ及び合焦遅れ及びノイズ発生の問題を克服するための光学レンズ用補助ローレットリングを提供することにある。言い換えれば、補助ローレットリングは、安定した画像の生成及び迅速な合焦及びノイズゼロのための、ファイルレンズ（ｆｉｌｅ  ｌｅｎｓ）のフォローフォーカス及びコンバータのような補助装置を組み入れる特性を提供する。
【０００５】
本発明の別の目的は、補助ローレットリングが環状部を有し、その環状部に放射状に配置されたリング歯を特徴とする光学レンズ用補助ローレットリングを提供することにある。リング歯が、限定されないがピッチが０．８であり、補助ローレットリングが光学調整用リングの外側に取り外し可能に連結されるよう、補助ローレットリングの内径と形状が光学調整用リングの外径と形状に一致する。
【０００６】
本発明の別の目的は、画像に対する光学レンズの迷光の干渉を遮断するよう、光学レンズ用補助ローレットリングが光学レンズ前面のほうに延在及び拡張可能で、光学レンズの前端より大きくなるような、光学レンズ用補助ローレットリングを提供することにある。
【０００７】
本発明の別の目的は、光学レンズ用補助ローレットリングの外側にデジタルスケール表示が刻印または印字され、スケールの位置及び表示の値が光学レンズの焦点距離、開口及び集束範囲の情報に対応するような光学レンズ用補助ローレットリングを提供することにある。
【０００８】
本発明の別の目的は、補助ローレットリングと光学レンズの保護のために、補助ローレットリングの正面及び広がった端部にキャップが取り外し可能に連結されており、キャップの直径及び形状は、光学レンズの補助ローレットリングの正面及び広がった端部に一致するような、光学レンズ用補助ローレットリングを提供することにある。
【０００９】
本発明のその他の利点及び特徴は、以下の記述により明らかになり、また、特に請求項添付の特許請求の範囲の記載事項やその組み合わせにより理解されるだろう。
【課題を解決するための手段】
【００１０】
本発明によれば、上記目的を達成するために、本発明は、
カメラ本体と、
そのカメラ本体に連結され、少なくとも１つ光学調整用リングを備えた光学レンズと、
その光学調整用リングの外側に取り外し可能に連結されている、少なくとも１つの補助ローレットリングと、
を有するカメラを提供する。
【００１１】
続く記述と図面からの考察により、更なる目的及び利点は明らかになる。
【００１２】
本発明のこれらとその他の目的及び特徴及び利点は、以下の詳細な記述、及び添付図面、及び添付の請求項より明らかとなる。
【図面の簡単な説明】
【００１３】
【図１】本発明の第１の好ましい実施形態による、光学レンズ用補助ローレットリングを横から示す図である。
【図２】本発明の第２の好ましい実施形態による、光学レンズ用補助ローレットリングを正面から示す図である。
【図３】本発明の第３の好ましい実施形態による、光学レンズ用補助ローレットリングを横から示す図である。
【図４】本発明の第３の好ましい実施形態による、光学レンズ用補助ローレットリングのＡ−Ａにおける断面を示す図である。
【図５】本発明の第４の好ましい実施形態による、光学レンズ用補助ローレットリングのＡ−Ａにおける断面を示す図である。
【図６】本発明の第５の好ましい実施形態による、光学レンズ用補助ローレットリングのＡ−Ａにおける断面を示す図である。
【図７】本発明の第６の好ましい実施形態による、光学レンズ用補助ローレットリングを正面から示す図である。
【図８】本発明の第７の好ましい実施形態による、光学レンズ用補助ローレットリングを正面から示す図である。
【図９】本発明の第８の好ましい実施形態による、光学レンズ用補助ローレットリングを横から示す図である。
【図１０】本発明の第９の好ましい実施形態による、光学レンズ用補助ローレットリングを横から示す図である。
【発明を実施するための形態】
【００１４】
図１を参照すると、本発明の第１の好ましい実施形態による光学レンズ用補助ローレットリングが図示されており、カメラ装置は光学レンズ２に連結されたカメラ本体１と、少なくとも１つの補助ローレットリング（ここでは第１の補助ローレットリング６及び第２の補助ローレットリング７及び第３の補助ローレットリング８として示す）と、少なくとも１つの光学調整用リング、すなわち焦点距離調整用リング３及びズームリング４及び開口調整用リング５とを備え、第１の補助ローレットリング６は焦点距離調整用リング３の外側に取り外し可能に連結され、第２の補助ローレットリング７はズームリング３の外側に取り外し可能に連結され、第３の補助ローレットリング８は開口調整用リング５の外側に取り外し可能に連結される。第１の補助ローレットリング６の内径及び形状は、焦点距離調整用リング３の外径及び形状に一致し、第２の補助ローレットリング７の内径及び形状は、ズームリング４の外径及び形状に一致する。言い換えると、第３の補助ローレットリング８の内径及び形状は、開口調整用リング５の外径及び形状に一致する。
【００１５】
図２を参照すると、本発明の第２の好ましい実施形態による光学レンズ用補助ローレットリングが図示されており、カメラ装置は、フォローフォーカス９にカメラ軌道１３を通して取り外し可能に連結されたカメラ本体１’と、第１の補助ローレットリング６と接するフォローフォーカスギア１１と、フォローフォーカスギア１１と第１の補助ローレットリングを連動して動かすために回転させるようになされたハンドグリップ１０を備え、このように焦点距離調整用リング３’は調整される。言い換えると、ハンドグリップ１０は、フォローフォーカスギアと連動して第１の補助ローレットリング６’が回転するために、フォローフォーカスギアを動かすために回転する。
【００１６】
図３は、本発明の第３の好ましい実施形態による光学レンズ用補助ローレットリングを横から示しており、カメラ装置は光学レンズ２”に連結されたカメラ本体１”と、焦点距離調整用リング３”の外側に取り外し可能に連結された第１の補助ローレットリング６”と、ズームリング４”の外側に取り外し可能に連結された第２の補助ローレットリング７”と、開口調整用リング５”の外側に取り外し可能に連結された第３の補助ローレットリング８”を備える。第１の補助ローレットリング６”の内径及び形状は、焦点距離調整用リング３”の外径及び形状に一致し、第２の補助ローレットリング７”の内径及び形状は、ズームリング４”の外径及び形状に一致する。言い換えると、第３の補助ローレットリング８”の内径及び形状は、開口調整用リング５”の外径及び形状に一致する。カメラ装置はさらに、少なくとも１つの、第１の補助ローレットリング６”と焦点距離調整用リング３”とを取り外し可能に連結するよう適合された第１のねじ１７を含み、少なくとも１つの、第２の補助ローレットリング７”とズームリング４”を取り外し可能に連結するよう適合された第２のねじ１８を含み、少なくとも１つの、第３の補助ローレットリング８”と開口調整用リング５”を取り外し可能に連結するよう適合された第３のねじ１９を含む。さらに第１の補助ローレットリング６”は、前部環状部と、前部環状部に配置された前部の歯１５と、後部環状部と、後部環状部に配置された後部の歯１４を含み、実際のニーズに基づき第１の補助ローレットリング６”が異なる速度及び精度を調整できるよう前部環状部の外径及び前部の歯１５の数量は後部環状部の外径及び後部の歯１５の数量に一致しない。第１の補助ローレットリング６”はさらに、第１の補助ローレットリング６”の外側に刻印または印字された第１のデジタルスケール表示２０を含み、第１のデジタルスケール表示２０のスケールの位置及び表示の値は光学レンズの焦点距離の値に対応する。第３の補助ローレットリング８”は、第３の補助ローレットリング８”の外側に刻印または印字された第２のデジタルスケール表示１６を含み、第２のデジタルスケール表示１６のスケールの位置及び表示の値は光学レンズの集束範囲の情報に対応する。カメラ装置がさらに、光学レンズの第１の補助ローレットリング６”の広がった前端に取り外し可能に連結されたキャップ２１を備え、キャップ２１の形状及びサイズは、第１の補助ローレットリング６”の広がった前端に一致することは、言及に値する。
【００１７】
図４は、上記本発明の第３の好ましい実施形態のＡ−Ａにおける断面を示しており、カメラ装置は、焦点距離調整用リング３”の外側に取り外し可能に連結された第１の補助ローレットリング６”と、ズームリング４”の外側に取り外し可能に連結された第２の補助ローレットリング７”と、開口調整用リング５”の外側に取り外し可能に連結された第３の補助ローレットリング８”を備える。第１の補助ローレットリング６”の内径及び形状は、焦点距離調整用リング３”の外径及び形状に一致し、第２の補助ローレットリング７”の内径及び形状は、ズームリング４”の外径及び形状に一致する。言い換えると、第３の補助ローレットリング８”の内径及び形状は、開口調整用リング５”の外径及び形状に一致する。カメラ装置はさらに、少なくとも１つの、第１の補助ローレットリング６”と焦点距離調整用リング３”を取り外し可能に連結するよう適合された第１のねじ１８を含み、少なくとも１つの、第２の補助ローレットリング７”とズームリング４”を取り外し可能に連結するよう適合された第２のねじ１９を含み、少なくとも１つの、第３の補助ローレットリング８”と開口調整用リング５”とを取り外し可能に連結するよう適合された第３のねじ１９を含む。さらに第１の補助ローレットリング６”は、前部環状部と、前部環状部に配置された前部の歯１５と、後部環状部と、後部環状部に配置された後部の歯１４を含み、実際のニーズに基づき第１の補助ローレットリング６”が異なる速度及び精度を調整できるよう前部環状部の外径及び前部の歯１５の数量は後部環状部の外径及び後部の歯１５の数量に一致しない。カメラ装置がさらに、光学レンズの第１の補助ローレットリング６”の広がった前端に取り外し可能に連結されたキャップ２１を備え、キャップ２１の形状及びサイズは、第１の補助ローレットリング６”の広がった前端に一致することは、言及に値する。
【００１８】
図５は、本発明の第４の好ましい実施形態による光学レンズ用補助ローレットリングを示しており、これは第３の好ましい実施形態による光学レンズ用補助ローレットリングの代替えの形態である。カメラ装置は、ズームリング４’’’の外側に取り外し可能に連結された第２の補助ローレットリング７’’’と、少なくとも１つの、第２の補助ローレットリング７’’’とズームリング４’’’を固定式に連結するよう適合された第２のねじ１８’’’を含む。第２の補助ローレットリング７’’’と第２のねじ１８’’’の相対位置により、ズームリング４’’’の軸の位置は、第２の補助ローレットリング７’’’の軸の位置と同じままである。
【００１９】
図６は、本発明の第５の好ましい実施形態の断面を示す。カメラ装置は、第２の補助ローレットリング７’’’’とズームリング４’’’’との間に配置される可撓リング２２を含む。言い換えると、第２の補助ローレットリング７’’’’は可撓リング２２の外側に配置され、可撓リング２２はズームリング４’’’’の外側に配置される。カメラ装置はさらに、少なくとも１つの第２のねじ１８’’’’を含み、このように第２のねじ１８’’’’によって、第２の補助ローレットリング７’’’’は可撓性材料とズームリング４’’’’に固定式に連結される。第２の補助ローレットリング７’’’’と第２のねじ１８’’’’の相対位置により、ズームリング４’’’’の軸の位置は、第２の補助ローレットリング７’’’’の軸の位置と同じままである。従って、第２の補助ローレットリング７’’’’とズームリング４’’’’との摩擦力が増大するにしたがって、可撓リング２２はズームリング４’’’’を保護することができる。
【００２０】
図７は、本発明の第６の好ましい実施形態による光学レンズ用補助ローレットリングを示しており、カメラ装置は、可撓性材料が用いられたラック２４及びラック２４を連結するよう適合された接続部品２７を含む補助ローレットリング２３を備える。接続部品２７は、ピン２８と、鋸歯状のスロット２９とハンドル３０を含む。ラック２４は、開口部前端２６と、ラック２４の開口部後端に配置されたピンホール２５を含む。このように、可撓ラック２４の開口部前端２６は、接続部品２７の鋸歯状のスロット２９に楔留めされ、部品２７のピン２８は可撓ラック２４のピンホール２５に差し込まれ、閉じた補助ローレットリング２３を形成する。従って、可撓ラック２４の開口部前端２６と接続部品２７の鋸歯状のスロット２９の相対位置は、光学調整用リングの異なる直径及び機能に合わせて補助ローレットリング２３の直径を変更するために調整できる。
【００２１】
図８は、本発明の第７の好ましい実施形態による光学レンズ用補助ローレットリングを示しており、カメラ装置は、開口部の一端が第１の凸部３２を含み、開口部の他端が第２の凸部３３を含むような２つの開口部を含む補助ローレットリング３１を備える。各凸部は、補助ローレットリング３１から一体的及び光学レンズの表面に対して垂直に延在される。カメラ装置はさらに、第１の凸部３２及び第２の凸部３３のそれぞれに２つの貫通穴が配置されるのみならず、ねじ３５と、ねじ３６の前端とナット３４を含む。従って、ねじ３５及びナット３４の相対位置が補助ローレットリング３１の直径を変更するために調整されるように、ねじ３６の前端は、第１の凸部３２及び第２の凸部３３のそれぞれに配置された２つの貫通穴のそれぞれを平行に貫通する。
【００２２】
図９は、本発明の第８の好ましい実施形態による光学レンズ用補助ローレットリングを示す。カメラ装置は、光学レンズ２’’’と連結されたカメラ本体１’’’と、ズーム調整用リング４’’’’’の外側に取り外し可能に連結された第２の補助ローレットリング８’’’’’と、取り外し式のローレットリング３８と、取り外し式のローレットリング３８の外側に配置された歯３９を備える。取り外し式のローレットリング３８は、突出する後端部４０の外側に外部ねじ山を含んだ突出する後端４０を形成するために後方へ狭められるよう延在される。さらに、取り外し式のローレットリング３８の外部ねじ山と光学レンズ２’’’の内部ねじ山の連結によって、取り外し式のローレットリング３８が光学レンズ２’’’と取り外し可能に連結されるように、光学レンズ２’’’の前端３７は内部ねじ山を含む。従って、取り外し式のローレットリング３８の突出する後端４０の直径及び形状は、光学レンズ２’’’の前端３７の直径及び形状に一致する。
【００２３】
図１０は、第８の好ましい実施形態の代替えの形態で、本発明の第９の好ましい実施形態による光学レンズ用補助ローレットリングを示しており、カメラ装置は、光学レンズ２＊と連結されたカメラ本体１＊と、ズーム調整用リング４＊の外側に取り外し可能に連結された第２の補助ローレットリング８＊と、取り外し式のローレットリング３８＊と、第２の補助ローレットリング３８＊に配置された歯３９＊とを備える。取り外し式のローレットリング３８＊は、突出する後端部４１の内側に配置された、内部バックル４３を含んだ突出する後端４１を形成するために、後方へ狭められるよう延在される。さらに、光学レンズ２＊の前端３７＊は、取り外し式のローレットリング３８＊の内部バックルと光学レンズ２＊の前端３７＊の外部バックルの連結によって、取り外し式のローレットリング３８＊が光学レンズ２と取り外し可能に連結されるように、光学レンズ２＊の前端３７＊の外側に配置された外部バックル４２を含む。従って、取り外し式のローレットリング３８＊の突出する後端４１の直径及び形状は、光学レンズ２＊の前端３７＊の直径及び形状に一致する。
【００２４】
当技術分野の技術者であれば、図面及び上記詳細な説明に示された本発明の実施形態が代表的なものに過ぎず、限定する意図によるものではないことは理解されるだろう。
【００２５】
従って、本発明の目的は十分効果的に達成されていることがわかる。本実施形態は、本発明の機能及び構造の原理を示すことを目的として記載及び図示され、そのような原理から逸脱することなく変更される。そのため、本発明は、以下の特許請求の範囲の趣旨並びに範囲に含まれる全ての修正を含む。
【図１】
2014513321.tif 000003
【図２】
2014513321.tif 000004
【図３】
2014513321.tif 000005
【図４】
2014513321.tif 000006
【図５】
2014513321.tif 000007
【図６】
2014513321.tif 000008
【図７】
2014513321.tif 000009
【図８】
2014513321.tif 000010
【図９】
2014513321.tif 000011
【図１０】
2014513321.tif 000012
【国際調査報告】
2014513321.tif 000013
2014513321.tif 000014
2014513321.tif 000015
2014513321.tif 000016
2014513321.tif 000017
2014513321.tif 000018